(57)【要約】【課題】  上部が外部に露出している搬送路の画像読取領域において、異物の侵入を防ぎ、搬送路の公差を所定範囲内に維持する画像読取装置を提供する【解決手段】  内側の搬送壁１２ａ側に設置されてているピン５１ａ、５１ｂを、カバー部材４０のピン穴４２ａ、４２ｂに挿入し、ネジ５２ａ、５２ｂを、カバー部材４０の貫通穴４３ａ、４３ｂを貫通させて、外側の搬送壁１２ｂに設けられたネジ穴５３ａ、５３ｂにネジ留めする。これにより、開閉ブロック３０を含む搬送路１２の上部開口１２ｃがカバー部材４０に遮蔽され、異物の侵入を防止可能となる。また、カバー部材４０は、ピン５１ａ、５１ｂと、ネジ５２ａ、５２ｂにより、内側及び外側の搬送壁に別々にとめられるので、両搬送壁の上側部分の間隔を一定に維持することが可能となる。【選択図】図７
2005295327.tif 000002
【特許請求の範囲】
【請求項１】
上部が外部に向かって開口しており、被読取媒体を横長方向に立てた状態で水平面上を
搬送する搬送路と、
前記搬送路上に配置され、前記搬送路上を搬送される前記読取媒体の画像情報を読み取
る画像読取部とを備え、
前記搬送路の少なくとも前記画像読取部が配置された領域において、前記搬送路の前記
開口の少なくとも一部を遮蔽するカバー部材を設けたことを特徴とする画像読取装置。
【請求項２】
前記搬送路は、前記被読取媒体の一部が前記搬送路から突出して搬送される部分と、前
記被読取媒体の全部を覆う部分とからなり、前記カバー部材は、前記被読取媒体の全部を
覆う部分の前記開口部の少なくとも一部を遮蔽することを特徴とする請求項２に記載の画
像読取装置。
【請求項３】
前記搬送路は、挿入口と排出口における前記被読取媒体の搬送方向がほぼ反対方向とな
るＵ字型の搬送経路を備えることを特徴とする請求項２に記載の画像読取装置。
【請求項４】
前記カバー部材は、前記搬送路の内側搬送壁及び外側搬送壁とに固定され、両搬送壁の
間隔を所定の幅に維持することを特徴とする請求項３に記載の画像読取装置。
【請求項５】
前記カバー部材は、いずれか一方の搬送壁に設けられた係合ピンと係合し、他方の搬送
壁にネジ留めされることを特徴とする請求項４に記載の画像読取装置。
【請求項６】
さらに、前記搬送路の前記画像読取部が配置された領域において、前記搬送路の一部を
開閉する開閉機構部を備え、前記カバー部材は、少なくとも前記開閉機構部の上部開口を
遮蔽することを特徴とする請求項１から５にいずれか１項に記載の画像読取装置。
【請求項７】
前記カバー部材は、さらに前記開閉機構部の閉位置を規定する位置決め溝部を備え、前
記開閉機構部は、閉位置において前記位置決め溝部と係合して、前記開閉機構部の閉位置
を規定することを特徴とする請求項６に記載の画像読取装置。
【請求項８】
さらに、前記搬送路の一部に、前記被読取媒体に印刷を行う印刷部及び／又は被読取媒
体に印刷された磁気インク文字を読取る磁気インク読取部を備えることを特徴とする請求
項１から７のいずれか１項に記載の画像読取装置。
【発明の詳細な説明】
【技術分野】
【０００１】
本発明は、搬送路に設置された画像読取装置によって、小切手等の被読取媒体を搬送し
ながらその画像データを読み取る画像読取装置に関し、特に、搬送路の上部が外側に開口
している搬送路を備える画像読取装置に関する。
【背景技術】
【０００２】
銀行等における小切手の処理作業の効率化のため、小切手に記載された情報を読み取っ
てオンラインで処理する試みが始められている。このため、最近、小売店舗の精算カウン
タにおいて小切手の画像を読取ることのできる小型軽量化された画像読取装置が求められ
ている。このような画像読取装置は、印刷装置、ＭＩＣＲ（磁気インク文字読取装置）等
を含む複合装置とすることが望ましい。このような多機能装置を、小型化するためには、
搬送路を長くする必要がある。そのため、小切手のように折り曲げることが可能な記録媒
体を横長に立てた状態でＵ字型の搬送路上を搬送させることにより、搬送路に沿って設け
られたスキャナ等の画像読取部によりその画像を読み取る画像読取装置が検討されている
。
【０００３】
Ｕ字型の搬送路を用いる場合には、搬送路の入口と出口を隣接させることができるので
、作業者が席を立つことなく、容易に読取媒体を画像読取装置に挿入して取り出すことが
できるという利点がある。また、Ｕ字型の搬送路にすることにより、搬送距離を長く取り
装置の複合化を可能にしつつ（搬送距離を長くすることにより、複数の読取装置、印刷装
置を搬送路内に配置することが可能となる）、装置全体を小型化することが可能となる。
【０００４】
精算カウンタは狭いので、このような装置はできるだけ小型化することが望ましい。一
方、このような画像読取装置では、Ｕ字型搬送路の全部にわたって搬送路の高さを小切手
の高さより高くする必要はない。画像読取部の位置等所定の高さが必要な部分の搬送路だ
けを、小切手の高さより高くすればよい。従って、このような装置では、画像読取部以外
の部分では、小切手の一部が突出した状態で搬送されるため、搬送路の上部が外部に開口
している。
【０００５】
図８は、Ｕ字型の搬送路を有する画像読取装置の一例を示す斜視図である。画像読取装
置１０１は、Ｕ字型の搬送路１０３を有しており、搬送路１０３にはスキャナ等の画像読
取部が設けられた画像読取領域１０４が設けられている。被読取媒体９０が搬送路１０３
上を搬送され、画像読取領域１０４を通過すると、画像読取部によって、被読取媒体９０
の画像が読み取られる。図示していないが、搬送路１０３には、被読取媒体９０の長さ応
じた所定の間隔を隔てて、被読取媒体９０を搬送する搬送ローラが設置されている。
【発明の開示】
【発明が解決しようとする課題】
【０００６】
図８に示すように、画像読取装置１０１に用いられる画像読取部は、搬送される被読取
媒体９０のうち、被読取媒体９０の高さ（幅）Ｋの全範囲を読み取る。従って、画像読取
部の高さは、この被読取媒体９０の高さＫよりも高いものとなる。また、画像読取部の読
取面と搬送路を挟んで対向する位置には、被読取媒体９０を読取面に押し付ける押付装置
又は押付けローラを備えており、この押付装置を支持する搬送壁の高さも、被読取媒体９
０の高さＫより高くなる。尚、被読取媒体の高さ（幅）ｋは、画像読取装置で読取可能な
最大の幅を有する被読取媒体の高さ（幅）を示している。
【０００７】
従って、図８に示すように、搬送路の両側に画像読取部と押付装置を有する画像読取領
域１０４は、搬送される被読取媒体９０より高く、被読取媒体９０全体を両側から覆って
いる。さらに、画像取得領域１０４の上部は、搬送路に沿って開口状態である。そのため
、この開口部からクリップ等の異物が搬送路内に落下侵入する恐れがある。画像読取領域
１０４にこのような異物が落下すると、異物の取り除き作業が困難となる。また、異物が
落ちていることに気づかずに小切手等の被読取媒体を搬送することは、画像読取面を傷つ
ける原因、又は紙詰まりの原因となる。さらに、搬送壁が高い部分において、、搬送路下
部と上部の間隔（通路幅）の寸法公差を所定の範囲に維持するためには、壁面として使用
できる材料に一定以上の剛性が要求される。このような材料の使用は、全体の重量の増加
及びコストの増大を招来する。
【０００８】
特に、紙詰まりの発生時における詰まった用紙の除去、又は画像読取面のクリーニング
等のために、搬送路の壁面を開閉できる機構を用いる場合に、搬送路の公差を所定範囲に
維持することが特に問題となる。
【０００９】
本発明は、これらの従来技術の問題に鑑みてなされたもので、特定領域において、外部
から搬送路内への異物の侵入を防止した画像読取装置を提供することをその目的の一つと
する。
【００１０】
また、本発明の他の目的は、異物の侵入を防止しつつ、搬送路の上下における寸法公差
を所定範囲内に維持した画像読取装置を提供することである。
【課題を解決するための手段】
【００１１】
上記の目的を達成するため、本発明の画像読取装置の第１の実施態様は、上部が外部に
向かって開口しており、被読取媒体を横長方向に立てた状態で水平面上を搬送する搬送路
と、搬送路上に配置され、搬送路上を搬送される読取媒体の画像情報を読み取る画像読取
部とを備え、搬送路の少なくとも画像読取部が配置された領域において、搬送路の開口の
少なくとも一部を遮蔽するカバー部材を設けたことを特徴とする。この態様では、画像読
取部の配置された位置において、搬送路の上部開口がカバー部材により遮蔽されるので、
画像読取部の存在する搬送路近郊に異物が落下することは防止される。これにより、異物
の取り出し作業が不要読取部を傷つけることを防止することが可能となる。
【００１２】
本発明の画像読取装置の他の実施態様は、搬送路が、被読取媒体の一部が搬送路から突
出して搬送される部分と、被読取媒体の全部を覆う部分とからなり、カバー部材は、被読
取媒体の全部を覆う部分の開口部の少なくとも一部を遮蔽することを特徴とする。
【００１３】
小型軽量化、操作性、及び経済性等の観点から被読取媒体を搬送路から一部突出させた
状態で搬送するものである。この場合、被読取媒体が搬送路から突出している部分には、
カバー部材は設けない。
【００１４】
本発明の画像読取装置の他の実施態様は、搬送路が、挿入口と排出口における被読取媒
体の搬送方向がほぼ反対方向となるＵ字型の搬送経路を備えることを特徴とする。小型軽
量の観点から、搬送経路をＵ字型としている。搬送路をＵ字型とすることにより、小さな
面積内で搬送路を長くできるので、搬送路に沿って多数の機能部品を配置しても装置の小
型化が可能となる。
【００１５】
本発明の画像読取装置の他の実施態様は、カバー部材が、搬送路の内側搬送壁及び外側
搬送壁とに固定され、両搬送壁の間隔を所定の幅に維持することを特徴とする。搬送壁の
両側にカバー部材を固定することにより、カバー部材の剛性により、搬送路の間隔を所定
の幅に固定することができる。カバー部材の剛性は、搬送路の間隔を所定範囲内に維持す
ることができるものであればよい。従って、カバー部材の材料として、金属に限らず、プ
ラスティック等の材料を用いることも可能である。また、このようなカバー部材を設ける
ことにより、搬送壁の剛性を弱くしても所定の公差を維持可能となるので、搬送壁の高さ
が高い場合でも、プラスティック材料等を用いることが可能となる。
【００１６】
本発明の画像読取装置の他の実施態様は、カバー部材が、いずれか一方の搬送壁に設け
られた係合ピンと係合し、他方の搬送壁にネジ留めされることを特徴とする。片方をピン
留めとすることにより、所定の制度を保ちつつ、分解等のメンテナンス作業が用意にする
ことが可能である。
【００１７】
本発明の画像読取装置の他の実施態様は、さらに、搬送路の画像読取部が配置された領
域において、搬送路の一部を開閉する開閉機構部を備え、カバー部材は、少なくとも開閉
機構部の上部開口を遮蔽することを特徴とする。
【００１８】
本発明の画像読取装置の他の実施態様は、カバー部材が、さらに開閉機構部の閉位置を
規定する位置決め溝部を備え、開閉機構部は、閉位置において位置決め溝部と係合して、
開閉機構部の閉位置を規定することを特徴とする。このような、開閉機構部においても、
搬送路の公差を所定の範囲に維持するため、位置決め部材を設けている。
【００１９】
本発明の画像読取装置の他の実施態様は、さらに、搬送路の一部に、被読取媒体に印刷
を行う印刷部及び／又は被読取媒体に印刷された磁気インク文字を読取る磁気インク読取
部を備えることを特徴とする。小切手等による精算処理においては、画像を読取、小切手
に印字する等の複合的な処理が求められる。このような装置は、特に精算カウンタ等に置
かれるため、異物が侵入する危険が大きい。従って、画像処理部等の搬送壁の高い部分を
遮蔽して異物の侵入を防止することは、稼働率を上げるためにも有用である。
【発明の効果】
【００２０】
本発明の画像読取装置によれば、搬送路の上側開口をカバーで遮蔽しているので、異物
の侵入を防止することができる。また、搬送路の一部を開閉可能な機構としても、搬送壁
の上側の間隔をカバー部材で正確に固定することができるので、搬送路壁をプラスティッ
ク等の材料により構成しても所定の公差を維持可能となり、小型軽量化、低廉化を図るこ
とが可能となる。
【発明を実施するための最良の形態】
【００２１】
次に、図面を参照しながら、本発明を実施するための最良の形態を説明する。
（画像読取装置の搬送路）
図１は、本発明の一実施形態にかかる画像読取装置１０の外観を示す斜視図である。図
２（ａ）は、図１の画像読取装置１０の搬送路及び搬送路周辺に設けられる各部を模式的
に表した平面図であり、図２（ｂ）は、図２（ａ）の搬送路１２及び被読取媒体（記録媒
体）のＡ−Ａ’線方向の２の断面図である。
【００２２】
図１に示す画像読取装置１０は、小切手又は伝票等の記録媒体９０を挿入する挿入部１
１、挿入された記録媒体９０を搬送するＵ字型搬送路１２、及び読取等の処理を終えた記
録媒体９０を排出する排出口１４を備えている。また、搬送路１２には、搬送路１２の一
部を開放することができる搬送路開閉ブロック３０を備えている。
【００２３】
図２（ａ）に示すように、本発明の画像読取装置１０は、折り曲げることが可能な材質
からなる小切手等の第１の第１の被読取媒体９０を搬送するＵ字型の搬送路１２に加えて
、図２（ａ）の右側に示されている誘導搬送路１３とを備えている。誘導搬送路１３は、
折り曲げることのできない材質からなるＩＤカード、免許証等の各種カードを挿入する搬
送路である。挿入されたカードは、Ｕ字型搬送路１２の画像読取部に案内され、カードの
画像の読み取りが行われたあと、再び誘導搬送路１３を得てカード挿入口１３ａから排出
される。
【００２４】
画像読取装置１０には、Ｕ字型の搬送路１２に沿って、挿入部１１近くに設けられた検
知センサ２１、搬送ローラ１５、磁石２３、ＣＩＳ（コンタクト・イメージ・センサ）等
からなる２つの画像読取部２４、２６、画像読取部に被読取媒体を押し付ける押付ローラ
２５及び押付装置２７、搬送ローラ１６と、搬送ローラ１６の下に設けられたＭＩＣＲヘ
ッド（磁気文字読取ヘッド）２８、被読取媒体を排出口１４の方に案内する搬送ローラ１
７、１８等が設けられている。２個の画像読取部２４、２６は、それぞれ被読取媒体（小
切手等）の表面と裏面の画像を読み取ることができる。図２（ａ）においては、説明を簡
単にするため、搬送ローラ１５，１６、１７、１８の４対しか示していないが、挿入部１
１近くにフィードローラを設けて、挿入された被読取媒体を搬送路内にフィードするよう
な構成とすることも可能である。また、ＭＩＣＲヘッド２８から、排出口１４の間に印刷
装置を設けて、表書き、裏書印字を行うよう構成することも可能である。
（Ｕ字型搬送路）
Ｕ字型搬送路１２について、更に詳細に説明する。図２（ｂ）に示す通り、Ｕ字型搬送
路１２は、搬送される被読取媒体を両側からガイドする搬送壁１２ａ，１２ｂによりを備
えている。以下、Ｕ字型の搬送路１２の内周側の搬送路を内側搬送壁１２ａと称し、外周
側の搬送路を外側搬送壁１２ｂと称する。この２つの搬送壁の間の搬送空間が搬送路１２
であり、この空間（搬送路）内を、被読取媒体９０が搬送される。
【００２５】
図２（ａ）に示す平面図において、被読取媒体９０は挿入部１１から搬送路１２へ挿入
される。挿入部１１及び排出口１４近くの搬送路１２における内側搬送壁１２ａと外側搬
送壁１２ｂの高さは、被読取媒体９０よりも低く（図２（ｂ）参照。）、被読取媒体９０
の上半分が搬送路１２から露出している。従って、仮にこの位置で紙詰まりが発生しても
、搬送路１２から被読取媒体９０を比較的容易に取り除くことが可能である。
【００２６】
挿入部１１から挿入された被読取媒体９０が検知器２１に検知されると、図示しない搬
送ローラ又はフィードローラ等により被読取媒体９０がＵ字型搬送路１２内に引き込まれ
、搬送ローラ１５〜１８によりＵ字型搬送路１２内を順次搬送される。これらの搬送ロー
ラは１５〜１８は、駆動ローラ（送りローラ）１５ａ〜１８ａ及び押えローラ１５ｂ〜１
８ｂにより構成される。以下、搬送ローラ１５を用いて駆動ローラと押えローラの関係に
ついて説明する。駆動ローラ１５ａは図示しない搬送モータにより回転駆動される。押え
ローラ１５ｂは、駆動ローラ１５ａに押圧されている。従って、被読取媒体９０は、駆動
ローラ１５ａと押えローラ１５ｂとに挟持された状態で、Ｕ字型搬送路１２内を駆動ロー
ラの回転方向に搬送される。以上の駆動ローラ１５ａと押えローラ１５ｂの関係は、すべ
ての搬送ローラ１５〜１８に共通する。
【００２７】
搬送路１２内を搬送される被読取媒体９０が、第１の画像読取部２４の前に設けられた
検出器２２により検出されると、その検出信号をトリガとして、被読取媒体９０が第１の
画像読取部２４、第２の画像読取部２６、ＭＩＣＲヘッド２６を通過するタイミングで各
読取処理が実行される。
【００２８】
このように、被読取媒体９０は、Ｕ字型搬送路１２の２箇所の曲線部分を通過すること
によって搬送方向が１８０度変更されて、排出口１４から挿入方向と反対方向に排出され
る。
【００２９】
被読取媒体９０は、搬送路１２に沿って搬送される過程で、搬送路１２中に配置された
第１及び第２の画像読取部２４、２６により画像が読み取られる。また、小切手等の下部
に印刷された磁気インク文字の読取のために、１５の下流には、磁気インク文字を磁化す
るための磁石２３が設けれれている。磁化された磁気インク文字は、画像読取部２４、２
６の下流に配置されているＭＩＣＲヘッド２８により読み取られる。
【００３０】
以上のようにして、挿入部１１からＵ字型搬送路１２に挿入された被読取媒体９０は、
搬送されながら、第１の画像読取部２４と第２の画像読取部２６によりその両面の画像が
読み取られる。また、磁気インク文字を有する被読取媒体は、ＭＩＣＲヘッド２８により
磁気インクの情報が読み取られて、１８０度搬送方向を変えて、排出口１４から排出され
る。
（直線搬送路：第２の搬送路）
本発明の一実施形態にかかる画像読取装置では、折り曲げることのできない免許証、Ｉ
Ｄカード等のカード（第２の被読取媒体）の画像読取も可能である。
Ｕ字型搬送路１２に配置された第１及び第２の画像読取部２４，２６を用いて、カード等
の画像も読み取る。そのため、Ｕ字型搬送路１２の第１及び第２の画像読取部２４、２６
の配置されている位置にカードを送り込むための誘導搬送路１３を備えている。
【００３１】
カードは、カード挿入口１３ａ（図３参照）から直線搬送路１３へ挿入される。検出器
（図示せず）がカードの挿入を検出すると、直線搬送ローラ１９を始めとする搬送ローラ
が回転を始める。直線搬送ローラ１９は、他の搬送ローラと同様に、駆動モータの駆動力
が伝達される駆動ローラ１９ａと押さえローラ１９ｂとから構成される。
【００３２】
カードは、直線搬送ローラ１９によって搬送され、Ｕ字型搬送路１２へ送られる。そし
て、搬送ローラ１６に挟みこまれて搬送され、カードの後端が、第２の画像記録部２６か
ら外れる位置に達するまで搬送されて、そこで停止する。その後、カードは逆向きに搬送
されて、第２の画像読取部２６と第１の画像読取部２４を通過するときに両面の画像が読
み取られ、挿入口１３ａから外部に排出される。
【００３３】
このように、誘導搬送路１３から搬送路１２内に導入されたカードは、第１及び第２の
画像読取部２４、２６が一直線に配置されているＵ字型搬送路１２部分を、画像読取部２
４、２６を横切るように前後に搬送されて、カードの画像が読み取られる。画像読取が終
了すると、カードは直線搬送路１３を経由して、カード挿入口１３ａから排出される。本
実施形態では、画像読取部２４、２６と搬送路１２の一部とを、カードの画像の読み取り
のために共用することにより、画像読取装置を効率的に利用している。カード等の第２の
被読取媒体の高さは、小切手等の被読取媒体９０よりも小さいため、搬送路１２の上半分
のみが使用される（下半分を使用するように構成してもよい）。
（搬送路開閉機構）
図１からもわかるように、画像読取部２４、２６により被読取媒体の全面の画像を読み
取るために、第１の画像読取部２４と第２の画像読取部２６が配置されている部分の搬送
路１２の内部搬送壁１２ａ及び外部搬送壁１２ｂは、搬送される被読取媒体９０の高さよ
りも高い構造となっている。従って、この中にクリップ等の異物が侵入したり、紙詰まり
が発生すると、異物又は詰まった用紙を取り出すことは困難である。このような場合に、
異物又は詰まった用紙を取り除くために、この部分に開閉機構を設けて、搬送路１２の一
部を開放するような構成とすることが可能である。
【００３４】
本発明の一実施形態では、搬送路の一部を開閉する搬送路開閉ブロック３０を備えてい
る。搬送路開閉ブロック３０（以下「開閉ブロック３０」と称する）は、図１に示す矢印
Ｂ方向に開放可能である。以下、図３乃至図７を用いて、本発明の一実施形態にかかる画
像読取装置、特に、搬送路１２、搬送路開閉ブロック３０、カバー部材４０について説明
する。
【００３５】
図３は、開閉ブロック３０を閉じた状態を、図１の矢印Ｃ方向から見た斜視図であり、
図４は、同方向から見た開閉ブロック３０を開いた状態の斜視図である。図５は、開閉ブ
ロック３０を開いた状態を図１のＤ方向から見た部分斜視図であり、上部カバー部材を外
した状態を示している。図６は、開閉ブロック３０の分解斜視図である。図７は、上部カ
バー部材の取り付け構造を示す分解斜視図である。
【００３６】
図３乃至図５に示すように、本実施形態においては、搬送路１２の外側搬送壁１２ｂ側
に開閉ブロック３０を設けている。紙詰まりが発生した場合、または画像読取部をクリー
ニングする際には、開閉ブロック３０を外側に開くことにより、搬送路１２の一部を解放
する。
【００３７】
図３に示すように、搬送路１２及び誘導搬送路１３の上側は、カバー部材４０で覆われ
ている。カバー部材４０は、内側搬送壁１２ａに設けられたピン５１ａ、５１ｂと、外側
搬送壁１２ｂに固定されるねじ５２ａ及び５２ｂにより、内側搬送壁１２ａと外側搬送壁
１２ｂとの間隔を一定の公差内に維持する機能も有している。開閉ブロック３０のレバー
部３３ａを手前に引くことにより、フックが外れ、図４に示すように開放ブロック３０が
開放される。
【００３８】
図４及び図５は、開閉ブロック３０が外側に約９０度回転されて、搬送路１２の一部が
開放された状態を示している。このように開閉ブロック３０を開放することにより、搬送
路１２の一部及び、画像読取部２４、２６が露出する。これにより、紙詰まりを取り除く
こと及び、第１及び第２の画像読取部２４，２６をクリーニングすることが可能となる。
開放ブロック３０には、第１の画像読取部２４、第２の画像読取部２６に対して被読取媒
体を押付ける押付け装置のローラ２７ａ、その下部に設けられた押圧ローラ２９、及び開
閉レバー部材３３が設けられている。すなわち、外側搬送壁１２ｂの一部を構成する開閉
部フレーム３１に対して、上記各部２４、２７ａ、２９、３３が取付けられており、開閉
部フレーム３１の下部は、本体フレームに対して回動可能に取り付けられている。
【００３９】
開閉部フレーム３１には回動軸受部３２が設けられており、回動軸受部３２は、画像読
取装置の本体フレーム５０の軸受部５５に対して回動ピン３２ｂにより回動可能に軸支さ
れている。これにより開閉ブロック３０は、回動ピン３２ｂを中心に回動し、開閉可能と
なる。開閉ブロック３０が閉じられると、第１の画像読取部２４が押付ローラ２５と対向
し、押付装置２７の押付けローラ２７ａが第２の画像読取部２６と対向する。開閉ブロッ
ク３０は、閉じられたときに開閉レバー部材３３の左右のフック部３３ｂが支持バー５７
に係合し、開閉ブロックが閉じた位置に保持される。また、開閉ブロック３０には位置決
めバー３５が設けられており、開閉ブロック３０が閉じられたときにカバー部材４０の位
置決め溝４１と係合する。これにより、開閉ブロック３０を閉じたときの奥行き方向の位
置を正確に位置決めし、搬送路１２の隙間を所定の公差内に維持する。
【００４０】
図６に、開閉ブロック３０の分解斜視図を示す。外側の搬送壁１２ｂの一部を構成する
開閉部フレーム３１に、第１の画像読取部２４と、押付装置２７及び下部押付けローラ２
９とが取り付けられている。そして、外側開閉壁１２ｂの下部には、回動軸受部３２に穴
部３２ａが設けられており、回動ピン３２ｂによって、画像読取装置本体に取り付けられ
ている。これにより回転継手を構成しており、開閉部フレーム３１は、この回動ピン３２
ｂを中心に回転して開閉することができる。開閉部フレーム３１が閉じられると、ちょう
ど第１の画像読取部２４が押付ローラ２５と対向し、カード等の読取時に第２の画像読取
部２６の読取面に対してカードを押付けるための押付装置２７が第２の画像読取部２６と
対向するような位置に配置されている。
【００４１】
また、開閉部フレーム３１の上部にはレバー軸受穴部３４が設けられており、開放レバ
ー部材３３にも軸受穴部３３ｄが設けられている。これらの穴部３４、３３ｄに、回動軸
３３ｃが挿入され、クリップ（留金）３３ｅにより留められている。これにより、開放レ
バー部材３３は開閉部フレーム３１に対して、回動軸３３ｃを中心に回転可能に取り付け
られている。開閉レバー部材は図示しない弾性部材によって、図５において時計方向に付
勢されている。
【００４２】
開閉ブロック３０が閉じられるときに、開閉レバー部材３３は、フック部３３ｂの傾斜
面と支持バー５７とが当接し、弾性力に逆らって反時計方向に回動する。開放ブロック３
０が所定位置まで閉じられると、支持バー５７がフック部の窪み部分の位置まで移動し、
図示しない弾性部材の弾性力により、開放レバー部材３３が時計方向に回転する。これに
より、フック部３３ｂが支持バー５７に係留される。これにより、開放ブロック３０は所
定の位置にロックされる。
【００４３】
開放ブロック３０を開ける場合には、レバー部３３ａを手前に引くことにより、開放レ
バー部材３３を逆向きに（反時計方向）に回転させる。これにより、ロックが解除されて
、開放ブロックを開き、搬送路１２の一部を開放することが可能となる。
【００４４】
第１の画像読取部２４は、シート部材５ｃと読取部カバー２４ａにより挟まれた状態で
、ピンまたはねじ２９ｃにより開閉部フレーム３１に取り付けられる。開閉部フレーム３
１の第１の画像読取部２４の隣の上側には、一対の固定ブラケット２７ｄが設けられてい
る。固定ブラケット２７ｄには、回動軸２７ｂによって、押付装置２７が取り付けられる
。押付装置２７は、可動ブラケット２７ｃと、該可動ブラケット２７ｃに回転可能な状態
で取り付けられている押付ローラ２７ａとを備えている。
【００４５】
押付け装置２７は可動ブラケット２７ｃに設けられている軸受け穴２７ｅを介して、回
動軸２７ｂにより固定ブラケット２７ｄに回動可能に取付けられている。また、図示しな
い弾性部材により図５において反時計方向に付勢されており、押付ローラ２７ａを第２の
画像読取部２６に押圧している。
【００４６】
読取部カバー２４ａの右側下部には、被読取媒体９０をスムーズに搬送するための回転
ローラ２９が回転軸２９ａにより回転可能に取付けられている。回転軸２９ａは、クリッ
プ（留金）２９ｂにより、取り付けられる。
（カバー部材）
図７を用いて本発明の一実施例にかかるカバー部材について説明する。図７では、カバ
ー部材４０は、搬送路１２のうち、画像読取装置２４、２６が配置されている部分の上部
開口１２ｃを遮蔽する形状となっている。カバー部材４０は、内側搬送壁１２ａに設けら
れたピン５１ａ、５１ｂと、ねじ５２ａ及び５２ｂとにより、固定される。ピン５１ａ、
５１ｂは、カバー部材４０のピン穴４２ａ、４２ｂに挿入される。ねじ５２ａ、５２ｂは
、カバー部材４０の貫通穴４３ａ、４３ｂを貫通して、外側搬送壁１２ｂに設けられたね
じ穴５３ａ、５３ｂに螺合される。これにより、カバー部材４０は搬送路１２に固定され
、搬送路１２の上部開口１２ｃを遮蔽する。
【００４７】
カバー部材４０は、内側搬送壁１２ａと外側搬送壁１２ｂとを所定の間隔を持って結合
するものでもあるので、カバー部材４０として比較的強い剛性を有する材料を用いること
により（プラスチック程度の剛性でも可）、内側搬送壁１２ａと外側搬送壁１２ｂとの間
隔を一定の公差内に維持する機能を付与することができる。
【００４８】
また、カバー部材４０は、位置決め溝部４１を備えている。位置決め溝部４１には、開
閉ブロック３０が閉じられたときに、開閉ブロック３０に設けられた位置決めバー３５が
係合し、開閉ブロック３０を正しい位置に停止させる。これにより、搬送ブロック３０部
分の搬送路の公差を正しく維持することが可能となる。
（その他の実施形態）
上述の実施形態では、本発明の開閉機構は、２つのスキャナを設置して、読取媒体の両
面の画像データを読み取っているが、１つのスキャナで片面だけを読み取る場合にも適用
可能であるし、３つ以上のスキャナを設置する場合にも適用できる。
【００４９】
また、上述の実施形態では、ＭＩＣＲが設置されているが、ＭＩＣＲが設置されない場
合にも適用できるし、また、更に、印刷ヘッドを備えて読取媒体に印刷を行う場合にも適
用できる。
【００５０】
また、上述の実施形態では、Ｕ字型の搬送路の他に直線搬送路を有するが、Ｕ字型の搬
送路だけを有する場合にも適用できる。  また、上述の実施形態では、スキャナがＵ字型
の搬送路の２つの曲線部分に挟まれた搬送路に設置されているが、その他の場所に設置さ
れる場合においても、同様に適用が可能である。
【００５１】
更に、本発明は、上述した実施形態には限らず、その他様々な装置に適用可能である。
【図面の簡単な説明】
【００５２】
【図１】本発明の一実施形態にかかる画像読取装置の外観を示す斜視図である。
【図２】（ａ）は、図１の画像読取装置１０の搬送路及び搬送路周辺に設けられる各部を模式的に表した平面図であり、（ｂ）は、図２（ａ）の搬送路１２及び被読取媒体（記録媒体）のＡ−Ａ’線方向の２の断面図である。
【図３】開閉ブロックを閉じた状態を、図１の矢印Ｃ方向から見た斜視図である。
【図４】図３と同方向から見た開閉ブロックを開いた状態の斜視図である。
【図５】開閉ブロックを開いた状態を図１のＤ方向から見た部分斜視図である。
【図６】開閉ブロック３０の分解斜視図である。
【図７】上部カバー部材の取り付け構造を示す分解斜視図である。
【図８】従来のＵ字型の搬送路を有する画像読取装置の一例を示す斜視図である。
【符号の説明】
【００５３】
１０    画像読取装置                １１    挿入部
１２    Ｕ字型搬送路                １２ａ  外側搬送壁
１２ｂ  内側搬送壁                  １２ｃ  上部開口
１３    直線搬送路                  １３ａ  カード挿入口
１４    排出口
１５、１６、１７、１８、１９  搬送ローラ
１５ａ、１６ａ、１７ａ、１８ａ，１９ａ  送りローラ（駆動ローラ）
１５ｂ、１６ｂ、１７ｂ、１８ｂ，１９ｂ  押えローラ（押圧ローラ）
２１    検知センサ                  ２２    検出器
２３    ＭＩＣＲ用磁化ヘッド        ２４    第１の画像読取部
２５    押付ローラ                  ２６    第２の画像読取部
２７    押付装置                    ２７ａ  押付ローラ
２８    ＭＩＣＲヘッド              ３０    搬送路開閉ブロック
３１    開閉部フレーム              ３２    回動軸受部
３２ａ  穴部                        ３２ｂ  回動ピン
３３    開閉レバー部材              ３３ａ  レバー部
３３ｂ  フック部                    ３５    位置決めバー
４０  カバー部材                    ４１    位置決め溝
４２ａ、４２ｂ  ピン穴              ４３ａ、４３ｂ  貫通穴
５１ａ、５１ｂ  ピン                ５２ａ、５２ｂ  ねじ
５３ａ、５３ｂ  ねじ穴
【図１】
2005295327.tif 000003
【図２】
2005295327.tif 000004
【図３】
2005295327.tif 000005
【図４】
2005295327.tif 000006
【図５】
2005295327.tif 000007
【図６】
2005295327.tif 000008
【図７】
2005295327.tif 000009
【図８】
2005295327.tif 000010